(57)【要約】本発明は、発光輝度を一定に保ちながら発光色度を調整可能な有機エレクトロルミネッセンス装置を提供することを目的とする。そして、本発明の有機エレクトロルミネッセンス装置は、電極間に駆動電流密度に応じた色度の白色を発光する有機エレクトロルミネッセンス層を有する有機エレクトロルミネッセンス素子と、有機エレクトロルミネッセンス素子を電流で駆動し、色度調整入力に応じて、駆動電流の制御と単位時間あたりの電流駆動時間の制御を行う駆動ユニットとを有する。これによれば、発光色度を調整する色度調整入力に応じて、有機発光素子への駆動電流値を制御して色度調整入力に対応する発光色度に調整すると共に、当該駆動電流値の制御に対応して単位時間当たりの電流駆動時間を調整して発光輝度をほぼ一定に保つことができ、発光輝度を変更することなく所望の発光色度への調整を可能とする。【特許請求の範囲】
【請求項１】
電極間に駆動電流密度に応じた色度の白色を発光する有機エレクトロルミネッセンス層を有する有機エレクトロルミネッセンス素子と、
前記有機エレクトロルミネッセンス素子を電流で駆動し、色度調整入力に応じて、前記駆動電流の制御と単位時間当たりの電流駆動時間の制御を行う駆動ユニットとを有し、
前記駆動ユニットは、第１の色度調整入力に対して、前記駆動電流を第１の電流値に、前記電流駆動時間を第１の時間にそれぞれ制御し、第２の色度調整に対して、前記駆動電流を前記第１の電流値より大きい第２の電流値に、前記電流駆動時間を前記第１の時間より短い第２の時間にそれぞれ制御する有機エレクトロルミネッセンス装置。
【請求項２】
電極間に駆動電流密度に応じた色度の白色を発光する有機エレクトロルミネッセンス層を有する有機エレクトロルミネッセンス素子と、
前記有機エレクトロルミネッセンス素子を所定の駆動電圧で駆動し、色度調整入力に応じて、前記駆動電圧の制御と単位時間当たりの電圧駆動時間の制御を行う駆動ユニットとを有し、
前記駆動ユニットは、第１の色度調整入力に対して、前記駆動電流を第１の電流値に、前記電圧駆動時間を第１の時間にそれぞれ制御し、第２の色度調整に対して、前記駆動電流を前記第１の電流値より大きい第２の電流値に、前記電圧駆動時間を前記第１の時間より短い第２の時間にそれぞれ制御する有機エレクトロルミネッセンス装置。
【請求項３】
請求の範囲第１または２項において、前記有機エレクトロルミネッセンス層は、白色発光を可能にする複数の発光色で発光することを特徴とする有機エレクトロルミネッセンス装置。
【請求項４】
請求の範囲第３項において、前記有機エレクトロルミネッセンス層は、赤色と青色と緑色とを同時に発光することを特徴とする有機エレクトロルミネッセンス装置。
【請求項５】
請求の範囲第３項において、前記有機エレクトロルミネッセンス層は、赤色発光層と、青色発光層と、緑色発光層とを有することを特徴とする有機エレクトロルミネッセンス装置。
【請求項６】
請求の範囲第３項において、前記有機エレクトロルミネッセンス層は、赤色発光層と、青色及び緑色発光層とを有することを特徴とする有機エレクトロルミネッセンス装置。
【請求項７】
請求の範囲第３項において、前記有機エレクトロルミネッセンス層は、赤色及び青色発光層と、緑色発光層とを有することを特徴とする有機エレクトロルミネッセンス装置。
【請求項８】
請求の範囲第３項において、前記有機エレクトロルミネッセンス層は、赤色及び緑色発光層と、青色発光層とを有することを特徴とする有機エレクトロルミネッセンス装置。
【請求項９】
請求の範囲第４項乃至第８項のいずれかの項において、前記有機エレクトロルミネッセンス層は、電極に接して設けられた正孔輸送層、電子輸送層とを有することを特徴とする有機エレクトロルミネッセンス装置。
【請求項１０】
請求の範囲第１項において、前記駆動ユニットは、電流源と、前記電流源を前記有機エレクトロルミネッセンス素子に接続する駆動スイッチと、前記電流源の電流値を前記色度調整入力に応じて制御する電流制御回路と、前記駆動スイッチの導通時間を前記色度調整入力に応じて制御する駆動時間制御回路とを有することを特徴とする有機エレクトロルミネッセンス装置。
【請求項１１】
請求の範囲第２項において、前記駆動ユニットは、電圧源と、前記電圧源を前記有機エレクトロルミネッセンス素子に接続する駆動スイッチと、前記電圧源の電圧値を前記色度調整入力に応じて制御する電圧制御回路と、前記駆動スイッチの導通時間を前記色度調整入力に応じて制御する駆動時間制御回路とを有することを特徴とする有機エレクトロルミネッセンス装置。
【請求項１２】
請求の範囲第１項乃至第８項のいずれかの有機エレクトロルミネッセンス装置をバックライト手段として有し、更に、前記有機エレクトロルミネッセンス装置の上に液晶層を有する液晶表示装置。
【発明の詳細な説明】
【技術分野】  本発明は、有機エレクトロルミネッセンス装置に関し、特に、白色発光し、その白色の輝度を一定に保ちながら色度を調整することができる有機エレクトロルミネッセンス装置に関する。
【背景技術】  有機エレクトロルミネッセンス（ＥＬ）素子は、電流駆動されることで自ら発光し（自発光）、電流駆動に対して高速に応答することができる（高速応答）という特徴を有し、フラットパネルディスプレイ装置への適用が期待されている。一方、有機ＥＬ素子は、薄型、軽量であり、大面積において均一に発光することができるという特徴を有し、照明装置への適用も可能である。
有機ＥＬ素子は、正孔輸送性と電子輸送性のそれぞれの有機薄膜を積層した積層型素子の報告（Ｃ．Ｗ．Ｔａｎｇ  ａｎｄ  Ｓ．Ａ．ＶａｎＳｌｙｋｅ，Ａｐｐｌｉｅｄ  Ｐｈｙｓｉｃｓ  Ｌｅｔｔｅｒｓ  ｖｏｌ．５１，９１３（１９８７）（以下非特許文献１））以来、１０Ｖ以下の低電圧で発光する大面積発光素子として関心を集めている。この積層型有機ＥＬ素子は、基本的に、正極／正孔輸送層／発光層／電子輸送層／負極の積層構成を有する。この場合、発光層として、上記非特許文献１の２層型素子の場合のように、正孔輸送層または電子輸送層がその発光層の機能を兼ねる構成も可能である。また、高発光効率の有機ＢＬ素子を得るために、発光層の構成として、１種類の材料で形成される単独膜に加えて、主成分であるホスト材料中に蛍光発光性の高い色素分子（ゲスト材料）を少量ドープする色素ドープ膜が考案されている（Ｃ．Ｗ．Ｔａｎｇ，Ｓ．Ａ．ＶａｎＳｌｙｋｅ，ａｎｄ  Ｃ．Ｈ．Ｃｈｅｎ，Ａｐｐｌｉｅｄ  Ｐｈｙｓｉｃｓ  Ｌｅｔｔｅｒｓ  ｖｏｌ．６５，３６１０（１９８９）（以下非特許文献２））。
有機ＥＬ素子を利用して単色発光の表示装置が提案されている（例えば、特開２００３−２３４１８１号公報、（以下特許文献１））。この特許文献１によれば、青色発光層と黄色発光層とを正孔注入層と電子注入層の間に積層して白色発光するマトリクス上の画素を有する有機ＥＬ表示装置が開示されている。そして、駆動電圧を一定にして発光色度を変更することなく、発光パルス幅変調により輝度調整を行うことが開示されている。
【発明の開示】
しかしながら、上記の先行技術である非特許文献１，２や特許文献１には、白色発光を利用した照明装置または表示装置において、発光輝度を一定に保ちながら所望の色度に調整することができるものについての開示はない。
そこで、本発明の目的は、発光輝度を一定に保ちながら発光色度を調整可能な有機エレクトロルミネッセンス装置を提供することにある。
本発明の第１の側面は、電極間に駆動電流密度に応じた色度の白色を発光する有機エレクトロルミネッセンス層を有する有機エレクトロルミネッセンス素子と、前記有機エレクトロルミネッセンス素子を電流で駆動し、色度調整入力に応じて、前記駆動電流の制御と単位時間当たりの電流駆動時間の制御を行う駆動ユニットとを有し、
前記駆動ユニットは、第１の色度調整入力に対して、前記駆動電流を第１の電流値に、前記電流駆動時間を第１の時間にそれぞれ制御し、第２の色度調整に対して、前記駆動電流を前記第１の電流値より大きい第２の電流値に、前記電流駆動時間を前記第１の時間より短い第２の時間にそれぞれ制御し、前記有機エレクトロルミネッセンス素子の発光輝度を略一定に保ちながら発光色度を調整することを特徴とする有機エレクトロルミネッセンス装置である。
第１の側面によれば、発光色度を調整する色度調整入力に応じて、有機発光素子への駆動電流値を制御して色度調整入力に対応する発光色度に調整すると共に、当該駆動電流値の制御に対応して単位時間当たりの電流駆動時間を調整して発光輝度をほぼ一定に保つことができ、発光輝度を変更することなく所望の発光色度への調整を可能にする有機エレクトロルミネッセンス装置を提供することができる。かかる有機エレクトロルミネッセンス装置を照明装置として利用したり、液晶表示装置のバックライトに利用したりすることができる。また、有機エレクトロルミネッセンス装置は、セグメント表示装置の発光セグメントとしても利用することもできる。
なお、本発明では、駆動電流調整による色度調整法を開示したが、駆動電圧調整によって色度調整を行ってもよい。すなわち、有機ＥＬ素子の電圧−電流特性は一意的に決まるので、本発明に開示された制御したい電流密度となるように電圧値を変化させても同様に色度調整が可能である。
【図面の簡単な説明】  図１は、本実施の形態における有機エレクトロルミネッセンス装置の構成図である。
図２は、本実施の形態における駆動ユニットの一例を示す構造図である。
図３は、有機ＥＬ層の電流密度と発光色度との関係を示す図である。
図４は、有機ＥＬ層の電流密度と発光輝度との関係を示す図である。
図５は、本実施の形態における有機ＥＬ素子の駆動パルスの一例を示す図である。
図６は、実施の形態例１における有機ＥＬ装置の構成である。
図７は、実施の形態例２における有機ＥＬ装置の構成である。
図８は、試作した有機ＥＬ素子の電流密度とデューティ比に対する、規格化かされた平均輝度と色度ｘ、ｙを示す図表である。
図９は、有機材料の構造式を示す図である。
図１０は、本実施の形態における駆動ユニットの別の例を示す構造図である。
【発明を実施するための最良の形態】  以下、図面に従って本発明の実施の形態例を説明する。
図１は、本実施の形態における有機エレクトロルミネッセンス装置の構成図である。この有機ＥＬ装置は、透明基板１０上に設けられた、透明電極、例えばＩＴＯ、からなる陽極層１２と、例えばアルミニウムからなる陰極層２４と、陽極層１２と陰極層２４との間に設けられた白色を発光する有機ＥＬ層とを有する有機ＥＬ素子１００と、陽極層１２と陰極層２４に接続され駆動電流Ｉｄを供給する駆動ユニット２６とを有する。そして、白色を発光する有機ＥＬ層は、陽極層１２からの正孔を供給する正孔輸送層１４と、陰極層２４から電子を供給する電子輸送層２２と、それら輸送層の間に設けられた赤色発光層１６と青色発光層１８と緑色発光層２０とからなる発光層とを有する。これらの層１４乃至２２は、有機材料層により形成される。電極と発光層との間に正孔輸送層１４と電子輸送層２２とを設けることにより、高い発光効率を持たせることができる。
発光層は、白色発光を得ることができればよく、発光層中に複数の色素、例えば赤色発光、青色発光、緑色発光の３種類の色素をドープすることで、白色を発光させることができる。発光層は、図１に示されるように、赤色発光層、青色発光層、緑色発光層の３層構造である必要はなく、後述するように、単一の有機材料層で赤色と青色を、青色と緑色を、または緑色と赤色を発光するようにしても良い。更に、単一の有機材料層で赤色、青色、緑色の全てを発光するようにしてもよい。
更に、正孔輸送層１４や電子輸送層２２と共通の発光層にしてもよい。つまり、正孔輸送層／発光層兼電子輸送層、正孔輸送層兼発光層／電子輸送層という構成にしてもよい。
図２は、本実施の形態における駆動ユニットの一例を示す構造図である。この駆動ユニット２６は、有機ＥＬ素子１００に供給される電流源Ｉｄと、その電流源ＣＳを有機ＥＬ素子１００に接続して駆動電流Ｉｄを供給する駆動スイッチＳＷと、電流源ＣＳの電流値Ｉｄを色度調整入力２８に応じて制御する電流制御回路３２と、駆動スイッチＳＷの導通時間を色度調整入力２８に応じて制御する駆動時間制御回路３４と、色度調整入力２８に応じて、電流制御回路３２と駆動時間制御回路３４とを制御する色度調整回路３０とを有する。電流制御回路３２は、電流源ＣＳの駆動電流Ｉｄの大きさを制御し、駆動時間制御回路３４は、駆動スイッチＳＷの導通駆動信号Ｓ３４をパルス幅変調（ＰＷＭ）する。この色度調整回路３０と、電流制御回路３２と、駆動時間制御回路３４とは、色度調整入力２８に応じて、調整された発光色度に対応する駆動電流Ｉｄに制御すると共に、その制御された駆動電流Ｉｄにおいて発光輝度がほぼ一定になるような単位時間当たりの駆動時間で駆動スイッチＳＷを導通させる。
有機ＥＬ素子１００の面積が一定の場合、駆動電流Ｉｄを変更することにより、駆動電流密度を変更することができる。そして、後述するように、駆動電流密度の変更に応じて発光色度を変更することができる。
図１０は、図２の駆動ユニットの変形例を示す構造図である。図２と異なるところは、電流源の代わりに電圧源ＶＳが設けられ、電流制御回路３２の代わりに電圧制御回路３２Ｖが設けられている点である。つまり、電圧制御回路３２Ｖが電圧源ＶＳの電圧値を制御することにより、有機ＥＬ素子に供給される駆動電流Ｉｄを変更することができ、それによりＥＬ素子を所望の電流密度で駆動することができる。それ以外の動作は、図２と同じである。
図３は、有機ＥＬ層の電流密度と発光色度との関係を示す図である。図１に示される有機ＥＬ素子に供給する電流密度を変化させると、発光している白色光の色度が図示されるように変化することが、本発明らにより発見された。つまり、ＲＧＢを同時に発光する有機ＥＬ素子の場合は、電流密度が変化することに伴い、白色光の発光色度が変化するのである。図３の例では、電流密度を小さくすると色度は（ｘ、ｙ）＝（０．５２，０．４５）に、一方、電流密度を大きくすると色度は（ｘ、ｙ）＝（０．２５，０．３０）に変化している。つまり、電流密度に応じて、発光色度が、（ｘ、ｙ）＝（０．５２，０．４５）と（ｘ、ｙ）＝（０．２５，０．３０）との間で変化する。
この色度変化が生じる原因は、駆動電流ないしは駆動電圧の変化に対して、有機ＥＬ層内の発光位置が変化することと、各発光色の発光開始電圧が異なることにあると考えられる。本実施の形態の有機エレクトロルミネッセンス装置は、このような駆動電流ないしは駆動電圧に対応する駆動電流密度によって発光白色光の色度が変化する有機ＥＬ素子を用いている。
図４は、有機ＥＬ層の電流密度と発光輝度との関係を示す図である。この図に示されるように、発光色度を調整するために電流密度を変化させると、それに伴って発光輝度がリニアに変化してしまう。そこで、本実施の形態では、駆動ユニットが有機ＥＬ素子に対してパルス駆動により駆動電流を供給する。そして、発光色度の調整に伴って電流密度を変化させた場合は、発光輝度を一定に保つために、変化させた電流密度に応じて、駆動パルスのデューティ比を変化させて単位時間当たりの発光時間を調整し、単位時間当たりの発光輝度が一定に保たれるようにする。つまり、電流密度を低くした場合は、デューティ比を高くして間欠発光の発光時間を長くし、電流密度の低下に伴う輝度低下を補い、電流密度を高くした場合は、デューティ比を低くして間欠発光の発光時間を短くし、電流密度の上昇に伴う輝度上昇を補う。
図５は、本実施の形態における有機ＥＬ素子の駆動パルスの一例を示す図である。図５（ａ）は、電流密度を低く制御した場合の駆動パルスである。駆動パルスのパルス幅Ｔ（ａ）が長く設定され、デューティ比が高く設定されている。このような駆動パルスにすることで、低い電流密度で単位時間当たりの発光輝度は低くなるが、単位時間あたりの発光時間を長くすることで、時間平均された発光輝度は所定の値になる。図５（ｂ）は、電流密度を高く制御した場合の駆動パルスである。駆動パルスのパルス幅Ｔ（ｂ）が短く設定され、デューティ比が低く設定されている。このような駆動パルスにすることで、高い電流密度で単位時間当たりの発光輝度は高くなるが、単位時間あたりの発光時間を短くすることで、時間平均された発光輝度は図５（ａ）の所定の値と同等にすることができる。なお、発光色度の変化範囲は、有機ＥＬ素子の色度変化特性に依存するので、所望の色度変化範囲が得られるように、あらかじめ素子構成を最適化しておけばよい。
このように、本実施の形態では、発光色度を調整する時は、その調整入力に対応して、駆動電流密度を上下に制御し、駆動電流密度の制御に対応して駆動パルスのパルス幅を短長に制御する。
一方で、本実施の形態の有機ＥＬ装置において、発光輝度の調整が行われる場合は、図２に示されるように、その発光輝度調整入力３６に応答して、電流密度は変更することなく、駆動パルスのパルス幅を調整する。つまり、発光輝度を低下させる発光輝度調整入力に対しては、駆動パルスのパルス幅を短くするように制御し、発光輝度を上昇させる発光輝度調整入力に対しては、駆動パルスのパルス幅を長くするように制御する。これにより、発光色度を所望の色度に保ちつつ、発光輝度調整入力に対応した発光輝度に調整することができる。
このように、本実施の形態の有機ＥＬ装置では、発光色度は発光色度調整入力２８により発光輝度に独立して調整され、発光輝度は発光輝度調整入力３６により発光色度に独立して調整される。
参考として、従来の有機ＥＬ表示装置における色度調整について説明する。従来の有機ＥＬ表示装置は、画素毎にＲＧＢの発光を行う有機ＥＬ素子が設けられている。そして、赤色発光有機ＥＬ素子と、青色発光有機ＥＬ素子と、緑色発光有機ＥＬ素子とが独立して電流駆動される。従って、白色発光するためには、ＲＧＢの有機ＥＬ素子を全て発光させる必要があり、更に、その白色発光の色度を調整するためには、それぞれの有機ＥＬ素子の発光輝度を調節して、発光バランスを調整して所望の白色光色度にする必要がある。
また、フルカラーの液晶表示装置において、全面白色表示した時の白色の色度を調節するためには、ＲＧＢの画素における液晶層への駆動電圧を調節しその透過特性を調節して、所望の色度にする必要がある。このように、有機ＥＬ表示装置や液晶表示装置での全面白色表示での色温度の調節は、複雑になる。
それに対して、本実施の形態の有機ＥＬ装置では、一つの有機ＥＬ素子で白色発光が可能であり、しかもその電流密度を変化させると発光色度が変化するので、それを利用して、輝度を一定に保ちながら所望の発光色度の白色発光を得ることが簡単な構成により実現できる。
［実施の形態例１］
図６は、実施の形態例１における有機ＥＬ装置の構成図である。この実施の形態例１の有機ＥＬ素子は、有機ＥＬ層が、正孔注入層１４Ａ、正孔輸送層１４Ｂと、赤色発光層１６と、青色発光層１８と、正孔ブロック層４０と、電子輸送層兼緑色発光層４２とで構成される。この構造の製造方法は以下の通りである。
まず、ＩＴＯ電極１２が形成されたガラス基板１０を、水、アセトン、イソプロピルアルコールにより超音波洗浄し更に遠紫外線（ＵＶ）オゾン処理を施した後、真空蒸着装置（１×１０−６ｔｏｒｒ，基板温度は室温）を用いて、この上に正孔注入層１４Ａとして２−ＴＮＡＴＡ（４，４’，４”−トリス（２−ナフチルフェニルアミノ）トリフェニルアミン）を１４０ｎｍ、その上に正孔輸送層１４Ｂとしてα−ＮＰＤ（Ｎ，Ｎ’−ジナフチル−Ｎ，Ｎ’−ジフェニル−［１，１’−ビフェニル］−４，４’−ジアミン）を１０ｎｍ形成した。この２重の層１４Ａ，１４Ｂの上に、赤色発光層１６としてゲスト材料のＤＣＪＴＢ（４−ｄｉｃｙａｎｏｍｅｔｈｙｌｅｎｅ−６−ｃｐ−ｊｕｌｏｌｉｄｉｎｏｓｔｙｒｙｌ−２−ｔｅｒｔ−ｂｕｔｙｌ−４Ｈ−ｐｙｒａｎ）とホスト材料のＡｌｑ３（トリス（８−ヒドロキシキノリナート）アルミニウム）を同時蒸着した層（蒸着比ＤＣＪＴＢ１分子に対しＡｌｑ３９９分子）を１ｎｍ、その上に青色発光層１８としてゲスト材料のｔ（ｂｐ）ｐｙ（１，３，６，８−テトラビフェニルピレン）とホスト材料のＣＢＰ（４，４’−ビス（９−カルバゾリル）−ビフェニル）とを同時蒸着した層（蒸着比ｔ（ｂｐ）ｐｙ１０分子に対しＣＢＰ９０分子）を２０ｎｍ、その上に正孔ブロッキング層４０としてＢＡｌｑを１０ｎｍ、その上に緑色発光層兼電子輸送層４２としてＡｌｑ３を３０ｎｍ、その上にフッ化リチウムを０．５ｎｍ、さらにその上に陰極層２４としてＡｌを１００ｎｍ蒸着した。フッ化リチウムは、緑色発光層兼電子輸送層４２の電子注入機能を強化するためのものである。正孔ブロッキング層４０は、正孔輸送層１４Ｂから供給される正孔の一部をブロックして緑色発光層４２への供給正孔の数を減らす機能を有する。
上記の有機材料２−ＴＮＡＴＡ、α−ＮＰＤ、ＤＣＪＴＢ、Ａｌｑ３、ｔ（ｂｐ）ｐｙ、ＣＢＰ、Ｂａｌｑは、図９に示される構造式からなる材料である。
図８は、試作した有機ＥＬ素子の電流密度とデューティ比に対する、規格化された平均輝度と色度ｘ、ｙを示す図表である。上記実施の形態例１の有機ＥＬ素子に対する図表は、図８（Ａ）に示される。上記のように作製した有機ＥＬ素子に対して、発光時の瞬間電流密度を５ｍＡ／ｃｍ２，５０ｍＡ／ｃｍ２，５００ｍＡ／ｃｍ２と変化させ、これに対応した駆動デューティ比を（発光期間：休止期間）＝（１：０），（１：９），（１：９９）と変化させて駆動させた。この駆動時に対して、電流密度５ｍＡ／ｃｍ２時の輝度で規格化した時間平均輝度と発光色度との関係が図８（Ａ）に示される。この図表に示されるように、電流密度を変化させることで、色度を調節することができ、その電流密度の変化に応じて駆動パルスのデューティ比を調節することで、輝度を所定レベルに保つことができることが確認される。
［実施の形態例２］
図７は、実施の形態例２における有機ＥＬ装置の構成図である。この実施の形態例２の有機ＥＬ素子は、有機ＥＬ層が、正孔注入層１４Ａ、正孔輸送層１４Ｂと、赤色及び青色発光層４４と、正孔ブロック層４０と、電子輸送層兼緑色発光層４２とで構成される。この構造の製造方法は以下の通りである。
まず、ＩＴＯ電極が形成されたガラス基板１０を、水、アセトン、イソプロピルアルコールにより超音波洗浄しＵＶオゾン処理を施した後、真空蒸着装置（１×１０−６ｔｏｒｒ，基板温度は室温）を用いて、この上に正孔注入層１４Ａとして２−ＴＮＡＴＡを１４０ｎｍ、その上に正孔輸送層１４Ｂとしてα−ＮＰＤを１０ｎｍ形成する。この２重層１４Ａ，１４Ｂの上に、青色兼赤色発光層４４として青色ゲスト材料のｔ（ｂｐ）ｐｙと赤色ゲスト材料のＤＣＪＴＢとホスト材料のＣＢＰとを同時蒸着した層（蒸着比ｔ（ｂｐ）ｐｙ１０分子、ＤＣＪＴＢ１分子に対しＣＢＰ８９分子）を２０ｎｍ、その上に正孔ブロッキング層４０としてＢＡｌｑを１０ｎｍ、その上に緑色発光層兼電子輸送層４２としてＡｌｑ３を３０ｎｍ、その上にフッ化リチウムを０．５ｎｍ、さらにその上に陰極層２４としてＡｌを１００ｎｍ蒸着した。各材料の構造式は、図９に示される。
図９（Ｂ）の図表に示されるように、上記作製した有機ＥＬ素子を発光時の瞬間電流密度を５ｍＡ／ｃｍ２，５０ｍＡ／ｃｍ２，５００ｍＡ／ｃｍ２と変化させ、これに対応した駆動デューティ比を（発光期間：休止期間）＝（１：０），（１：９），（１：９９）と変化させて駆動させた。この駆動時の５ｍＡ／ｃｍ２時の輝度で規格化した時間平均輝度と発光色度の関係が図９（Ｂ）に示される。この図表から、輝度を所定レベルに保ちつつ発光色度調整が可能なことが確認される。
本実施の形態における有機ＥＬ装置は、図１、図５、図６に示されるように、１対の電極の間に白色発光する有機ＥＬ層を設けたものであり、その有機ＥＬ層の白色光は、駆動電流密度に応じてその色度が変化する。このような有機ＥＬ層を有する有機ＥＬ素子を所定の面積に形成することで、白色照明装置を提供することができる。この白色照明装置は、例えば蛍光灯に変わる照明装置として利用することができる。或いは、この白色照明装置は、薄型、軽量、均一面発光可能であるので、液晶表示装置のバックライトとしても利用できる。
更に、本実施の形態における有機ＥＬ装置は、複数のセグメントを選択的に発光させて英数字などを表示するセグメント型表示装置にも利用することができる。
【産業上の利用可能性】  本発明によれば、発光輝度を所定のレベルに保ったまま所望の発光色度に調整することができる有機ＥＬ装置を提供することができる。この有機ＥＬ装置は、照明装置としても表示装置としても利用することができる。
【図１】
2005106835.tif 000002
【図２】
2005106835.tif 000003
【図３】
2005106835.tif 000004
【図４】
2005106835.tif 000005
【図５】
2005106835.tif 000006
【図６】
2005106835.tif 000007
【図７】
2005106835.tif 000008
【図８】
2005106835.tif 000009
【図９】
2005106835.tif 000010
【図１０】
2005106835.tif 000011
【国際調査報告】
2005106835.tif 000012
2005106835.tif 000013
2005106835.tif 000014
2005106835.tif 000015